(57)【要約】  本開示は、ドアロックのネットワーク制御方法、装置、サーバ及びＰＭＳを提供する。当該方法は、部屋予約要求情報を受信し、部屋予約要求情報に応じて相応する注文情報を生成するステップと、注文情報に対応する客室解錠パスワードを生成するステップと、注文情報に対応する客室ＩＤと客室解錠パスワードの対応関係を保存するステップと、前記客室解錠パスワードを前記客室ＩＤに対応するドアロックに送信するステップとを含む。本開示において、ユーザによる部屋予約の注文情報に応じて客室解錠パスワードを生成し、客室ＩＤと客室解錠パスワードの対応関係を保存することにより、ドアロックに対するネットワーク制御を実現し、且つ客室解錠パスワードをユーザに告知するだけで、ユーザは、当該客室解錠パスワードにより対応する客室ドアを開けることができる。
2019511763.tif 000002
【特許請求の範囲】
【請求項１】
ドアロックのネットワーク制御方法であって、
部屋予約要求情報を受信し、前記部屋予約要求情報に応じて相応する注文情報を生成するステップと、
前記注文情報に対応する客室解錠パスワードを生成するステップと、
前記注文情報に対応する客室ＩＤと前記客室解錠パスワードの対応関係を保存するステップと、
前記客室解錠パスワードを前記客室ＩＤに対応するドアロックに送信するステップとを含むことを特徴とする方法。
【請求項２】
前記注文情報に対応する客室解錠パスワードを生成するステップは、
予め設定されたパスワード生成ルール及び事前設定パスワードレベルに応じて、前記注文情報に対応する客室解錠パスワードを生成するステップ、或いは、
予め設定されたパスワード生成ルール、事前設定パスワードレベル及び前記注文情報に応じて、前記注文情報に対応する客室解錠パスワードを生成するステップを含むことを特徴とする請求項１に記載の方法。
【請求項３】
前記事前設定パスワードレベルは、ユーザレベルと、クリーニングレベルと、管理レベルとを含み、前記注文情報は、ユーザ情報と、ホテル情報と、客室情報とを含み、
予め設定されたパスワード生成ルール、事前設定パスワードレベル及び前記注文情報に応じて、前記注文情報に対応する客室解錠パスワードを生成するステップは、
予め設定されたパスワード生成ルール、前記事前設定パスワードレベルに含まれるユーザレベル、前記注文情報に含まれるユーザ情報及び客室情報に応じて、ユーザに対応する客室解錠パスワードを生成するステップと、
前記予め設定されたパスワード生成ルール、前記事前設定パスワードレベルに含まれるクリーニングレベル及び前記注文情報に含まれる客室情報に応じて、清掃員に対応する客室解錠パスワードを生成するステップと、
前記予め設定されたパスワード生成ルール、前記事前設定パスワードレベルに含まれる管理レベル、前記注文情報に含まれるホテル情報及び客室情報に応じて、ホテル管理者に対応する客室解錠パスワードを生成するステップとを含むことを特徴とする請求項２に記載の方法。
【請求項４】
前記方法は、
前記部屋予約要求情報に応じて、前記客室解錠パスワードに対応する有効期間を生成するステップと、
前記ドアロックが前記客室解錠パスワードに対応する有効期間を保存するように、前記有効期間を前記客室ＩＤに対応するドアロックに送信するステップとを更に含むことを特徴とする請求項１乃至３のいずれか１項に記載の方法。
【請求項５】
前記方法は、
前記注文情報に対応する客室解錠パスワードを生成した後、
前記ユーザ端末が前記客室解錠パスワードを保存するように、前記客室解錠パスワードをユーザ端末に送信するステップ、或いは、
ユーザがホテルに到達してチェックイン手続きを行う時、前記注文情報に対応する客室ＩＤに応じて、保存された客室ＩＤと客室解錠パスワードの対応関係から客室解錠パスワードを取得し、前記客室解錠パスワードを表示するステップを更に含むことを特徴とする請求項１に記載の方法。
【請求項６】
前記方法は、
ユーザ端末が送信した、客室解錠パスワードと、客室情報とを含む解錠情報を受信するステップと、
前記ドアロックが前記客室解錠パスワードに対して検証を行うように、前記客室解錠パスワードを前記客室情報に対応するドアロックに送信するステップとを更に含むことを特徴とする請求項１に記載の方法。
【請求項７】
一つ又は複数のプロセッサが実行可能な機械実行可能命令が記憶されている不揮発性記憶媒体であって、
前記機械実行可能命令が前記一つ又は複数のプロセッサにより実行される時、請求項１乃至６のいずれか１項に記載の方法を実現することを特徴とする不揮発性記憶媒体。
【請求項８】
ドアロックのネットワーク制御装置であって、
部屋予約要求情報を受信し、前記部屋予約要求情報に応じて相応する注文情報を生成するための受信モジュールと、
前記注文情報に対応する客室解錠パスワードを生成するための生成モジュールと、
前記注文情報に対応する客室ＩＤと前記客室解錠パスワードの対応関係を保存するための保存モジュールと、
前記客室解錠パスワードを前記客室ＩＤに対応するドアロックに送信するための送信モジュールとを含むことを特徴とする装置。
【請求項９】
前記生成モジュールは、
予め設定されたパスワード生成ルール及び事前設定パスワードレベルに応じて、前記注文情報に対応する客室解錠パスワードを生成するための第１の生成ユニット、或いは、
予め設定されたパスワード生成ルール、事前設定パスワードレベル及び前記注文情報に応じて、前記注文情報に対応する客室解錠パスワードを生成するための第２の生成ユニットを含むことを特徴とする請求項８に記載の装置。
【請求項１０】
前記事前設定パスワードレベルは、ユーザレベルと、クリーニングレベルと、管理レベルとを含み、前記注文情報は、ユーザ情報と、ホテル情報と、客室情報とを含み、
前記第２の生成ユニットは、
予め設定されたパスワード生成ルール、前記事前設定パスワードレベルに含まれるユーザレベル、前記注文情報に含まれるユーザ情報及び客室情報に応じて、ユーザに対応する客室解錠パスワードを生成するための第１の生成サブユニットと、
前記予め設定されたパスワード生成ルール、前記事前設定パスワードレベルに含まれるクリーニングレベル及び前記注文情報に含まれる客室情報に応じて、清掃員に対応する客室解錠パスワードを生成するための第２の生成サブユニットと、
前記予め設定されたパスワード生成ルール、前記事前設定パスワードレベルに含まれる管理レベル、前記注文情報に含まれるホテル情報及び客室情報に応じて、ホテル管理者に対応する客室解錠パスワードを生成するための第３の生成サブユニットとを含むことを特徴とする請求項９に記載の装置。
【請求項１１】
前記装置は、
前記部屋予約要求情報に応じて、前記客室解錠パスワードに対応する有効期間を生成し、前記ドアロックが前記客室解錠パスワードに対応する有効期間を保存するように、前記有効期間を前記客室ＩＤに対応するドアロックに送信するための有効期間生成モジュールを更に含むことを特徴とする請求項８乃至１０のいずれか１項に記載の装置。
【請求項１２】
前記送信モジュールは、更に、前記ユーザ端末が前記客室解錠パスワードを保存するように、前記客室解錠パスワードをユーザ端末に送信するために用いられ、
或いは、前記装置は、
ユーザがホテルに到達してチェックイン手続きを行う時、前記注文情報に対応する客室ＩＤに応じて、保存された客室ＩＤと客室解錠パスワードの対応関係から客室解錠パスワードを取得し、前記客室解錠パスワードを表示するための取得モジュールを更に含むことを特徴とする請求項８に記載の装置。
【請求項１３】
前記受信モジュールは、更に、ユーザ端末が送信した、客室解錠パスワードと、客室情報とを含む解錠情報を受信するために用いられ、
前記送信モジュールは、更に、前記ドアロックが前記客室解錠パスワードに対して検証を行うように、前記客室解錠パスワードを前記客室情報に対応するドアロックに送信するために用いられることを特徴とする請求項８に記載の装置。
【請求項１４】
サーバであって、
部屋予約要求情報を受信し、前記部屋予約要求情報に応じて相応する注文情報を生成するための受信モジュールと、
前記注文情報に対応する客室解錠パスワードを生成するための生成モジュールと、
前記ＰＭＳが前記客室解錠パスワードに応じて前記注文情報に対応するドアロックに対して制御を行うように、前記注文情報及び前記客室解錠パスワードを前記部屋予約要求情報に対応するホテル管理システム（ＰＭＳ）に送信するための送信モジュールとを含むことを特徴とするサーバ。
【請求項１５】
前記生成モジュールは、
予め設定されたパスワード生成ルール及び事前設定パスワードレベルに応じて、前記注文情報に対応する客室解錠パスワードを生成するための第１の生成ユニット、或いは、
予め設定されたパスワード生成ルール、事前設定パスワードレベル及び前記注文情報に応じて、前記注文情報に対応する客室解錠パスワードを生成するための第２の生成ユニットを含むことを特徴とする請求項１４に記載のサーバ。
【請求項１６】
前記事前設定パスワードレベルは、ユーザレベルと、クリーニングレベルと、管理レベルとを含み、前記注文情報は、ユーザ情報と、ホテル情報と、客室情報とを含み、
前記第２の生成ユニットは、
予め設定されたパスワード生成ルール、前記事前設定パスワードレベルに含まれるユーザレベル、前記注文情報に含まれるユーザ情報及び客室情報に応じて、ユーザに対応する客室解錠パスワードを生成するための第１の生成サブユニットと、
前記予め設定されたパスワード生成ルール、前記事前設定パスワードレベルに含まれるクリーニングレベル及び前記注文情報に含まれる客室情報に応じて、清掃員に対応する客室解錠パスワードを生成するための第２の生成サブユニットと、
前記予め設定されたパスワード生成ルール、前記事前設定パスワードレベルに含まれる管理レベル、前記注文情報に含まれるホテル情報及び客室情報に応じて、ホテル管理者に対応する客室解錠パスワードを生成するための第３の生成サブユニットとを含むことを特徴とする請求項１５に記載のサーバ。
【請求項１７】
前記サーバは、
前記部屋予約要求情報に応じて、前記客室解錠パスワードに対応する有効期間を生成するための有効期間生成モジュールを更に含み、
前記送信モジュールは、更に、前記ＰＭＳが前記有効期間を前記注文情報に対応するドアロックに送信するように、前記有効期間を前記ＰＭＳに送信するために用いられることを特徴とする請求項１４乃至１６のいずれか１項に記載のサーバ。
【請求項１８】
前記送信モジュールは、更に、前記ユーザ端末が前記客室解錠パスワードを保存するように、前記客室解錠パスワードをユーザ端末に送信するために用いられることを特徴とする請求項１４に記載のサーバ。
【請求項１９】
前記サーバは、
ユーザ端末が送信した、客室解錠パスワードと、客室情報とを含む解錠情報を受信するための受信モジュールを更に含み、
前記送信モジュールは、更に、前記ＰＭＳが前記客室情報に対応するドアロックを制御して前記客室解錠パスワードに対して検証を行うように、前記解錠情報を前記ＰＭＳに送信するために用いられることを特徴とする請求項１４に記載のサーバ。
【請求項２０】
ホテル管理システムＰＭＳであって、
サーバが送信した注文情報及び客室解錠パスワードを受信するための受信モジュールと、
前記注文情報に対応する客室ＩＤと前記客室解錠パスワードの対応関係を保存するための保存モジュールと、
前記客室解錠パスワードを前記客室ＩＤに対応するドアロックに送信するための送信モジュールとを含むことを特徴とするＰＭＳ。
【請求項２１】
前記受信モジュールは、更に、サーバが送信した、客室解錠パスワードと、客室情報とを含む解錠情報を受信するために用いられ、
前記送信モジュールは、更に、前記ドアロックが前記客室解錠パスワードに対して検証を行うように、前記客室解錠パスワードを前記客室情報に対応するドアロックに送信するために用いられることを特徴とする請求項２０に記載のＰＭＳ。
【請求項２２】
前記ＰＭＳは、
ユーザがホテルに到達してチェックイン手続きを行う時、前記注文情報に対応する客室ＩＤに応じて、保存された客室ＩＤと客室解錠パスワードの対応関係から客室解錠パスワードを取得し、前記客室解錠パスワードを表示するための取得モジュールを更に含むことを特徴とする請求項２０に記載のＰＭＳ。
【請求項２３】
前記受信モジュールは、更に、前記サーバが送信した前記客室解錠パスワードに対応する有効期間を受信するために用いられ、
前記送信モジュールは、更に、前記ドアロックが前記有効期間を保存するように、前記有効期間を前記客室ＩＤに対応するドアロックに送信するために用いられることを特徴とする請求項２０に記載のＰＭＳ。
【発明の詳細な説明】
【技術分野】
【０００１】
［関連する出願の参照］
本特許出願は、２０１６年１月２９日に出願された中国特許出願第２０１６１００６６１０３.７号（発明の名称：「ドアロックのネットワーク制御方法、装置、サーバ及びＰＭＳ」）の優先権を主張するものであり、当該出願の内容は全て本願に取り込まれる。
【０００２】
本開示は、インターネット通信及びドアロック技術分野に関する。
【背景技術】
【０００３】
ホテルは、複数の客室を持ち、客室毎に対応するドアロックを有する。ユーザの便宜性を図り、客室居住の安全性を向上させるために、ホテル客室のドアロックに対して制御を行うことが可能である。
【０００４】
ホテルは、磁気カードにより客室ドアロックの施錠・解錠を制御する。客室毎に少なくとも１枚の磁気カードを備えており、磁気カードには、その対応する客室のＩＤ情報が記憶されている。当該磁気カードを客室ドアロックの磁気カードセンシングエリアに置き、ＮＦＣ（Ｎｅａｒ  Ｆｉｅｌｄ  Ｃｏｍｍｕｎｉｃａｔｉｏｎ、近距離無線通信）により磁気カード内のＩＤ情報をドアロックに伝送し、ドアロックが当該ＩＤ情報に対して検証を行い、検証にパスすると、当該客室のドアロックを解錠する。
【発明の概要】
【課題を解決するための手段】
【０００５】
本実施例の開示は、ドアロックのネットワーク制御方法、装置及びサーバを提供して、ドアロック制御の効率及び安全性を向上する。
【０００６】
第１の側面において、本開示の実施例は、ドアロックのネットワーク制御方法を提供する。前記方法は、
部屋予約要求情報を受信し、前記部屋予約要求情報に応じて相応する注文情報を生成するステップと、
前記注文情報に対応する客室解錠パスワードを生成するステップと、
前記注文情報に対応する客室ＩＤと前記客室解錠パスワードの対応関係を保存するステップと、
前記客室解錠パスワードを前記客室ＩＤに対応するドアロックに送信するステップとを含む。
【０００７】
第１の側面を結合して、本開示の実施例は、上記の第１の側面の第１の可能な実現方式を提供する。前記注文情報に対応する客室解錠パスワードを生成するステップは、
予め設定されたパスワード生成ルール及び事前設定パスワードレベルに応じて、前記注文情報に対応する客室解錠パスワードを生成するステップ、或いは、
予め設定されたパスワード生成ルール、事前設定パスワードレベル及び前記注文情報に応じて、前記注文情報に対応する客室解錠パスワードを生成するステップを含む。
【０００８】
第１の側面の第１の可能な実現方式を結合して、本開示の実施例は、上記の第１の側面の第２の可能な実現方式を提供する。前記事前設定パスワードレベルは、ユーザレベルと、クリーニングレベルと、管理レベルとを含み、前記注文情報は、ユーザ情報と、ホテル情報と、客室情報とを含み、
予め設定されたパスワード生成ルール、前記事前設定パスワードレベル及び前記注文情報に応じて、前記注文情報に対応する客室解錠パスワードを生成するステップは、
前記予め設定されたパスワード生成ルール、前記事前設定パスワードレベルに含まれるユーザレベル、前記注文情報に含まれるユーザ情報及び客室情報に応じて、ユーザに対応する客室解錠パスワードを生成するステップと、
前記予め設定されたパスワード生成ルール、前記事前設定パスワードレベルに含まれるクリーニングレベル及び前記注文情報に含まれる客室情報に応じて、清掃員に対応する客室解錠パスワードを生成するステップと、
前記予め設定されたパスワード生成ルール、前記事前設定パスワードレベルに含まれる管理レベル、前記注文情報に含まれるホテル情報及び客室情報に応じて、ホテル管理者に対応する客室解錠パスワードを生成するステップとを含む。
【０００９】
第１の側面を結合して、本開示の実施例は、上記の第１の側面の第３の可能な実現方式を提供する。前記方法は、
前記部屋予約要求情報に応じて、前記客室解錠パスワードに対応する有効期間を生成するステップと、
前記ドアロックが前記客室解錠パスワードに対応する有効期間を保存するように、前記有効期間を前記客室ＩＤに対応するドアロックに送信するステップとを更に含む。
【００１０】
第１の側面を結合して、本開示の実施例は、上記の第１の側面の第４の可能な実現方式を提供する。前記方法は、
前記注文情報に対応する客室解錠パスワードを生成した後、
前記ユーザ端末が前記客室解錠パスワードを保存するように、前記客室解錠パスワードをユーザ端末に送信するステップ、或いは、
ユーザがホテルに到達してチェックイン手続きを行う時、前記注文情報に対応する客室ＩＤに応じて、保存された客室ＩＤと客室解錠パスワードの対応関係から客室解錠パスワードを取得し、前記客室解錠パスワードを表示するステップを更に含む。
【００１１】
第１の側面を結合して、本開示の実施例は、上記の第１の側面の第５の可能な実現方式を提供する。前記方法は、
ユーザ端末が送信した、客室解錠パスワードと、客室情報とを含む解錠情報を受信するステップと、
前記ドアロックが前記客室解錠パスワードに対して検証を行うように、前記客室解錠パスワードを前記客室情報に対応するドアロックに送信するステップとを更に含む。
【００１２】
第２の側面において、本開示の実施例は、ドアロックのネットワーク制御装置を提供する。前記装置は、
部屋予約要求情報を受信し、前記部屋予約要求情報に応じて相応する注文情報を生成するための受信モジュールと、
前記注文情報に対応する客室解錠パスワードを生成するための生成モジュールと、
前記注文情報に対応する客室ＩＤと前記客室解錠パスワードの対応関係を保存するための保存モジュールと、
前記客室解錠パスワードを前記客室ＩＤに対応するドアロックに送信するための送信モジュールとを含む。
【００１３】
第２の側面を結合して、本開示の実施例は、上記の第２の側面の第１の可能な実現方式を提供する。前記生成モジュールは、
予め設定されたパスワード生成ルール及び事前設定パスワードレベルに応じて、前記注文情報に対応する客室解錠パスワードを生成するための第１の生成ユニット、或いは、
予め設定されたパスワード生成ルール、事前設定パスワードレベル及び前記注文情報に応じて、前記注文情報に対応する客室解錠パスワードを生成するための第２の生成ユニットを含む。
【００１４】
第２の側面の第１の可能な実現方式を結合して、本開示の実施例は、上記の第２の側面の第２の可能な実現方式を提供する。前記事前設定パスワードレベルは、ユーザレベルと、クリーニングレベルと、管理レベルとを含み、前記注文情報は、ユーザ情報と、ホテル情報と、客室情報とを含む。
【００１５】
前記第２の生成ユニットは、
予め設定されたパスワード生成ルール、前記事前設定パスワードレベルに含まれるユーザレベル、前記注文情報に含まれるユーザ情報及び客室情報に応じて、ユーザに対応する客室解錠パスワードを生成するための第１の生成サブユニットと、
前記予め設定されたパスワード生成ルール、前記事前設定パスワードレベルに含まれるクリーニングレベル及び前記注文情報に含まれる客室情報に応じて、清掃員に対応する客室解錠パスワードを生成するための第２の生成サブユニットと、
前記予め設定されたパスワード生成ルール、前記事前設定パスワードレベルに含まれる管理レベル、前記注文情報に含まれるホテル情報及び客室情報に応じて、ホテル管理者に対応する客室解錠パスワードを生成するための第３の生成サブユニットとを含む。
【００１６】
第２の側面を結合して、本開示の実施例は、上記の第２の側面の第３の可能な実現方式を提供する。前記装置は、
前記部屋予約要求情報に応じて、前記客室解錠パスワードに対応する有効期間を生成し、前記ドアロックが前記客室解錠パスワードに対応する有効期間を保存するように、前記有効期間を前記客室ＩＤに対応するドアロックに送信するための有効期間生成モジュールを更に含む。
【００１７】
第２の側面を結合して、本開示の実施例は、上記の第２の側面の第４の可能な実現方式を提供する。
【００１８】
前記送信モジュールは、更に、前記ユーザ端末が前記客室解錠パスワードを保存するように、前記客室解錠パスワードをユーザ端末に送信するために用いられ、
或いは、前記装置は、
ユーザがホテルに到達してチェックイン手続きを行う時、前記注文情報に対応する客室ＩＤに応じて、保存された客室ＩＤと客室解錠パスワードの対応関係から客室解錠パスワードを取得し、前記客室解錠パスワードを表示するための取得モジュールを更に含む。
【００１９】
第２の側面を結合して、本開示の実施例は、上記の第２の側面の第５の可能な実現方式を提供する。
【００２０】
前記受信モジュールは、更に、ユーザ端末が送信した、客室解錠パスワードと、客室情報とを含む解錠情報を受信するために用いられ、
前記送信モジュールは、更に、前記ドアロックが前記客室解錠パスワードに対して検証を行うように、前記客室解錠パスワードを前記客室情報に対応するドアロックに送信するために用いられる。
【００２１】
第３の側面において、本開示の実施例は、サーバを提供する。前記サーバは、
部屋予約要求情報を受信し、前記部屋予約要求情報に応じて相応する注文情報を生成するための受信モジュールと、
前記注文情報に対応する客室解錠パスワードを生成するための生成モジュールと、
前記ＰＭＳが前記客室解錠パスワードに応じて前記注文情報に対応するドアロックに対して制御を行うように、前記注文情報及び前記客室解錠パスワードを前記部屋予約要求情報に対応するホテル管理システム（ＰＭＳ）に送信するための送信モジュールとを含む。
【００２２】
第３の側面を結合して、本開示の実施例は、上記の第３の側面の第１の可能な実現方式を提供する。前記生成モジュールは、
予め設定されたパスワード生成ルール及び事前設定パスワードレベルに応じて、前記注文情報に対応する客室解錠パスワードを生成するための第１の生成ユニット、或いは、
予め設定されたパスワード生成ルール、事前設定パスワードレベル及び前記注文情報に応じて、前記注文情報に対応する客室解錠パスワードを生成するための第２の生成ユニットを含む。
【００２３】
第３の側面の第１の可能な実現方式を結合して、本開示の実施例は、上記の第３の側面の第２の可能な実現方式を提供する。前記事前設定パスワードレベルは、ユーザレベルと、クリーニングレベルと、管理レベルとを含み、前記注文情報は、ユーザ情報と、ホテル情報と、客室情報とを含み、
前記第２の生成ユニットは、
予め設定されたパスワード生成ルール、前記事前設定パスワードレベルに含まれるユーザレベル、前記注文情報に含まれるユーザ情報及び客室情報に応じて、ユーザに対応する客室解錠パスワードを生成するための第１の生成サブユニットと、
前記予め設定されたパスワード生成ルール、前記事前設定パスワードレベルに含まれるクリーニングレベル及び前記注文情報に含まれる客室情報に応じて、清掃員に対応する客室解錠パスワードを生成するための第２の生成サブユニットと、
前記予め設定されたパスワード生成ルール、前記事前設定パスワードレベルに含まれる管理レベル、前記注文情報に含まれるホテル情報及び客室情報に応じて、ホテル管理者に対応する客室解錠パスワードを生成するための第３の生成サブユニットとを含む。
【００２４】
第３の側面を結合して、本開示の実施例は、上記の第３の側面の第３の可能な実現方式を提供する。前記サーバは、
前記部屋予約要求情報に応じて、前記客室解錠パスワードに対応する有効期間を生成するための有効期間生成モジュールを更に含み、
前記送信モジュールは、更に、前記ＰＭＳが前記有効期間を前記注文情報に対応するドアロックに送信するように、前記有効期間を前記ＰＭＳに送信するために用いられる。
【００２５】
第３の側面を結合して、本開示の実施例は、上記の第３の側面の第４の可能な実現方式を提供する。
【００２６】
前記送信モジュールは、更に、前記ユーザ端末が前記客室解錠パスワードを保存するように、前記客室解錠パスワードをユーザ端末に送信するために用いられる。
【００２７】
第３の側面を結合して、本開示の実施例は、上記の第３の側面の第５の可能な実現方式を提供する。前記サーバは、
ユーザ端末が送信した、客室解錠パスワードと、客室情報とを含む解錠情報を受信するための受信モジュールを更に含み、
前記送信モジュールは、更に、前記ＰＭＳが前記客室情報に対応するドアロックを制御して前記客室解錠パスワードに対して検証を行うように、前記解錠情報を前記ＰＭＳに送信するために用いられる。
【００２８】
第４の側面において、本開示の実施例は、ホテル管理システムＰＭＳを提供する。前記ＰＭＳは、
サーバが送信した注文情報及び客室解錠パスワードを受信するための受信モジュールと、
前記注文情報に対応する客室ＩＤと前記客室解錠パスワードの対応関係を保存するための保存モジュールと、
前記客室解錠パスワードを前記客室ＩＤに対応するドアロックに送信するための送信モジュールとを含む。
【００２９】
第４の側面を結合して、本開示の実施例は、上記の第４の側面の第１の可能な実現方式を提供する。前記受信モジュールは、更に、サーバが送信した、客室解錠パスワードと、客室情報とを含む解錠情報を受信するために用いられ、
前記送信モジュールは、更に、前記ドアロックが前記客室解錠パスワードに対して検証を行うように、前記客室解錠パスワードを前記客室情報に対応するドアロックに送信するために用いられる。
【００３０】
第４の側面を結合して、本開示の実施例は、上記の第４の側面の第２の可能な実現方式を提供する。前記ＰＭＳは、
ユーザがホテルに到達してチェックイン手続きを行う時、前記注文情報に対応する客室ＩＤに応じて、保存された客室ＩＤと客室解錠パスワードの対応関係から客室解錠パスワードを取得し、前記客室解錠パスワードを表示するための取得モジュールを更に含む。
【００３１】
第４の側面を結合して、本開示の実施例は、上記の第４の側面の第３の可能な実現方式を提供する。
【００３２】
前記受信モジュールは、更に、前記サーバが送信した前記客室解錠パスワードに対応する有効期間を受信するために用いられ、
前記送信モジュールは、更に、前記ドアロックが前記有効期間を保存するように、前記有効期間を前記客室ＩＤに対応するドアロックに送信するために用いられる。
【００３３】
本開示の実施例が提供する方法、装置、サーバ及びＰＭＳにおいて、部屋予約要求情報を受信し、部屋予約要求情報に応じて相応する注文情報を生成し、注文情報に対応する客室解錠パスワードを生成し、注文情報に対応する客室ＩＤと客室解錠パスワードの対応関係を保存し、前記客室解錠パスワードを前記客室ＩＤに対応するドアロックに送信する。本開示において、ユーザによる部屋予約の注文情報に応じて客室解錠パスワードを生成し、客室ＩＤと客室解錠パスワードの対応関係を保存することにより、ドアロックに対するネットワーク制御を実現し、且つ客室解錠パスワードをユーザに告知するだけで、ユーザは、当該客室解錠パスワードにより対応する客室ドアを開けることができ、ドアロック制御過程における手動介入成分を減らし、ドアロック制御の効率を向上させる。そして、客室解錠パスワードに実体的なキャリアが無いため、客室解錠パスワードを失う可能性を低下させ、ドアロック制御の安全性を向上させる。
【００３４】
本開示の上記の目的、特徴及び利点を明らかにし、且つ、分かりやすくするために、以下では、特に実施例を挙げ、添付された図面を結合しながら詳細に説明する。
【００３５】
本開示の実施例の技術方案をより明確に説明するために、以下では、実施例において使用すべき図面を簡単に紹介する。理解すべきことは、以下の図面は、ただ本開示の一部の実施例を示すものであるため、範囲に対する限定として見なすべきではなく、当業者にとって、創造的労働をせずに、これらの図面により他の関連する図面を得ることができる。
【図面の簡単な説明】
【００３６】
【図１Ａ】本開示の実施例１が提供するドアロック制御のネットワークアーキテクチャ図を示す。
【図１Ｂ】本開示の実施例１が提供するドアロックのネットワーク制御方法のフローチャートを示す。
【図２Ａ】本開示の実施例２が提供するドアロック制御のネットワークアーキテクチャ図を示す。
【図２Ｂ】本開示の実施例２が提供するドアロックネットワーク制御のシグナリング相互作用図を示す。
【図３Ａ】本開示の実施例３が提供するドアロックのネットワーク制御装置のハードウエア構造模式図を示す。
【図３Ｂ】本開示の実施例３が提供するドアロックのネットワーク制御装置の論理構造模式図を示す。
【図４Ａ】本開示の実施例４が提供するサーバのハードウエア構造模式図を示す。
【図４Ｂ】本開示の実施例４が提供するサーバの論理構造模式図を示す。
【図５】本開示の実施例５が提供するホテル管理システムＰＭＳの構造模式図を示す。
【図６】本開示の実施例６が提供する他のホテル管理システムＰＭＳの構造模式図を示す。
【発明を実施するための形態】
【００３７】
以下、本開示の実施例における図面を結合しながら、本開示の実施例における技術方案を明確で完全に説明する。明らかに、説明される実施例は、ただ本開示の一部の実施例であり、全部の実施例ではない。一般的に、ここでの図面で説明及び図示される本開示の実施例のアセンブリは、様々な異なる構成に配置及び設計されることが可能である。従って、下記の図面において提供される本開示の実施例に対する詳細な説明は、保護を請求する本開示の範囲を限定することを旨とせず、ただ本開示の選定実施例を示すものである。本開示の実施例に基づいて、当業者により創造的労働をせずに取得されたすべての他の実施例は、全部本開示の保護の範囲に属する。
【００３８】
客室毎に少なくとも１枚の磁気カードを備えることを配慮し、すべての客室の磁気カードに対して管理及び割り当てを行うには、多すぎる手動介入が関連される可能性があり、ドアロックに対する管理及び制御効率がかなり低い。そして、磁気カードがあるだけて、当該磁気カードに対応する客室ドアを開けることができ、若し磁気カードを不注意で失ってしまうと、潜在的安全問題を招く可能性があるため、磁気カードにより客室ドアロックを制御するのは、安全性がかなり低い。これに基づいて、本開示の実施例は、ドアロックのネットワーク制御方法及び装置を提供する。以下、実施例により説明する。
【００３９】
実施例１
本開示の実施例は、ドアロックのネットワーク制御方法を提供する。本方法は、ドアロックのネットワーク制御装置に適用され、当該ドアロックのネットワーク制御装置は、ホテルのＰＭＳ（Ｐｒｏｐｅｒｔｙ  Ｍａｎａｇｅｍｅｎｔ  Ｓｙｓｔｅｍ、ホテル管理システム）であって可能である。当該方法に対応するネットワークアーキテクチャは、図１Ａに示すようであり、当該ネットワークアーキテクチャは、ユーザの端末１００１と、ドアロックのネットワーク制御装置１００２と、ドアロック制御ボックス１００３と、ドアロックとを含むことができる。ユーザ端末は、ユーザの携帯電話、ＰＣ（Ｐｅｒｓｏｎａｌ  Ｃｏｍｐｕｔｅｒ、パソコン）又はＰＡＤ（Ｐｏｒｔａｂｌｅ  Ａｎｄｒｏｉｄ  Ｄｅｖｉｃｅ、タブレットＰＣ）等であって可能であり、ドアロック制御ボックスは、ドアロックのネットワーク制御装置とドアロックの間でネットワーク通信を行う中継ネットワーク素子であり、一つのドアロック制御ボックスは、一つ又は複数のドアロックとネットワーク通信を行うことが可能である。図１Ａには、一つのドアロック制御ボックス及び当該ドアロック制御ボックスに対応する複数のドアロックであるドアロック１、ドアロック２、…、ドアロックＮが模試的に描かれている。ユーザがユーザ端末を介してドアロックのネットワーク制御装置でホテル客室を予約する時、本開示の実施例が提供する方法により客室ドアロックに対するネットワーク制御を実現することが可能であり、客室ドアロック制御の効率及び安全性を向上させる。
【００４０】
図１Ｂを参照すると、当該方法は、具体的には、下記のステップを含む。
ステップ１０１で、部屋予約要求情報を受信し、部屋予約要求情報に応じて相応する注文情報を生成することが可能である。
【００４１】
上記の部屋予約要求情報は、ユーザの個人情報と、ホテル情報と、ユーザの部屋予約ニーズ情報とを含むことができる。ユーザの個人情報は、ユーザの氏名、連絡先及び身分証明書番号等を含むことができる。ホテル情報は、ユーザが予約したがるホテルの名称を含むことができる。ユーザの部屋予約ニーズ情報は、ユーザが予約すべき客室の類型及び入居時間等の情報を含むことができる。客室の類型は、シングル客室、デラックススイート客室又は標準室等を含むことができる。入居時間は、ユーザの入居開始時間及び終了時間を含むことができる。
【００４２】
ユーザは、ユーザの端末を介してドアロックのネットワーク制御装置にログインし、ユーザの端末を介して上記の部屋予約要求情報をドアロックのネットワーク制御装置に送信することが可能である。ドアロックのネットワーク制御装置は、ユーザの端末が送信した部屋予約要求情報を受信した時、当該部屋予約要求情報に応じて、ユーザのために注文情報を生成することが可能である。
【００４３】
また、上記の部屋予約要求情報を、ドアロックのネットワーク制御装置に手動で入力し、ドアロックのネットワーク制御装置は、当該部屋予約要求情報に応じて、ユーザのために注文情報を生成しても良い。
【００４４】
ドアロックのネットワーク制御装置は、ユーザのために注文情報を生成する時、部屋予約要求情報に含まれる部屋予約ニーズ情報に応じて、ユーザにユーザ部屋予約ニーズを満たす客室を割り当て、割り当てられた客室に対応する客室ＩＤを記録することが可能であり、客室ＩＤは、客室の部屋番号であって可能である。
【００４５】
上記の生成された注文情報は、注文番号と、ユーザ情報と、ホテル情報と、客室情報とを含む。当該ユーザ情報は、上記の部屋予約要求情報に含まれるユーザの個人情報であって可能であり、ホテル情報は、ユーザが予約すべきホテルの名称及び住所等であって可能であり、客室情報は、上記のユーザのために割り当てられた客室に対応する客室ＩＤ及び入居時間等を含む。
【００４６】
ドアロックのネットワーク制御装置は、部屋予約要求情報に対応する注文情報を生成した後、更に、当該注文情報を保存する。
【００４７】
ステップ１０２で、注文情報に対応する客室解錠パスワードを生成することが可能である。
【００４８】
本開示の実施例において、ドアロックのネットワーク制御装置に、パスワード生成ルールが予め設定されている。予め設定されたパスワード生成ルールは、生成される客室解錠パスワードの桁及び適用するパスワード生成アルゴリズム等を規定することが可能である。
【００４９】
また、ホテルの日常管理において、清掃等ホテルの日常メインテナーが客室を清掃及び客室の安全を管理する時、客室ドアを開けるべきであり、ホテルマネージャー等のホテル管理者がホテル管理を行う過程でも客室ドアを開けるべきである場合があるので、ユーザのために解錠用の客室解錠パスワードを生成する必要があることはもちろん、清掃等のホテル日常メインテナー及びホテルマネージャー等のホテル管理者のためにも、対応する客室解錠パスワードを生成する必要がある。本開示の実施例において、ドアロックのネットワーク制御装置に、事前設定パスワードレベルを予め設定することが可能であり、当該事前設定パスワードレベルは、ユーザレベルと、クリーニングレベルと、管理レベルとを含む。ユーザは、ユーザレベルの客室解錠パスワードを使って客室ドアを開けることが可能であり、清掃等のホテル日常メインテナーは、クリーニングレベルの客室解錠パスワードを使って客室ドアを開けることが可能であり、ホテルマネージャー等の管理者は、管理レベルの客室解錠パスワードにより客室ドアを開けることが可能である。
【００５０】
客室解錠パスワードを生成する時、予め設定されたパスワード生成ルール及び事前設定パスワードレベルに応じて、注文情報に対応する客室解錠パスワードを生成することが可能である。客室解錠パスワードを生成する時、パスワードランダム生成アルゴリズムを適用することが可能である。
【００５１】
上記の客室解錠パスワードを生成する方式以外に、生成された注文情報に含まれる内容に応じて、客室解錠パスワードを生成しても良い。具体的には、予め設定されたパスワード生成ルール、事前設定パスワードレベル及び注文情報に応じて、当該注文情報に対応する客室解錠パスワードを生成することが可能である。
【００５２】
事前設定パスワードレベルがユーザレベルである場合、予め設定されたパスワード生成ルール、事前設定パスワードレベルに含まれるユーザレベル、注文情報に含まれるユーザ情報及び客室情報に応じて、ユーザに対応する客室解錠パスワードを生成することが可能である。
【００５３】
事前設定パスワードレベルがクリーニングレベルである場合、予め設定されたパスワード生成ルール、事前設定パスワードレベルに含まれるクリーニングレベル及び注文情報に含まれる客室情報に応じて、清掃員に対応する客室解錠パスワードを生成することが可能である。
【００５４】
事前設定パスワードレベルが管理レベルである場合、予め設定されたパスワード生成ルール、事前設定パスワードレベルに含まれる管理レベル、注文情報に含まれるホテル情報及び客室情報に応じて、ホテル管理者に対応する客室解錠パスワードを生成することが可能である。
【００５５】
ユーザレベルの客室解錠パスワードを生成した後、更に、ユーザの端末が当該客室解錠パスワードを保存できるように、当該注文情報及びユーザレベルの客室解錠パスワードをユーザ端末に送信することが可能である。同様に、当該注文情報に対応する管理レベルの客室解錠パスワードをホテルマネージャー等の管理者の端末に送信し、及び、クリーニングレベルの客室解錠パスワードを清掃員等のホテル日常メインテナーの端末に送信することが可能である。
【００５６】
本開示の実施例において、注文情報に対応する客室解錠パスワードを生成する時、部屋予約要求情報に応じて、客室解錠パスワードに対応する有効期間を生成し、客室解錠パスワードと当該有効期間の対応関係を生成しても良い。その中で、部屋予約要求情報に含まれる入居時間を当該客室解錠パスワードに対応する有効期間として確定することが可能であり、即ち、当該有効期間は、ユーザの入居開始時間から終了時間までであることが可能である。
【００５７】
ステップ１０３で、注文情報に対応する客室ＩＤと客室解錠パスワードの対応関係を保存することが可能である。
【００５８】
客室解錠パスワードを生成した後、ユーザに割り当てられた客室に対応する客室ＩＤと各レベルの客室解錠パスワードの対応関係を保存することが可能である。後続的に、ユーザがホテルに到達してチェックイン手続きを行う時、ユーザは、ホテル従業員に身分証明書又は注文情報を提示し、ホテル従業員は、ユーザが提示する身分証明書又は注文情報に応じて、保存された注文情報からユーザが予約した客室に対応する客室ＩＤを取得した後、当該客室ＩＤに応じて、保存された客室ＩＤと客室解錠パスワードの対応関係から対応するユーザレベルの客室解錠パスワードを取得し、客室解錠パスワードをユーザに告知することが可能である。
【００５９】
また、本開示の実施例において、ステップ１０２で部屋予約要求情報に対応する注文情報及びユーザレベルの客室解錠パスワドを生成した後、ネットワークを介してユーザレベルの客室解錠パスワードをユーザ端末に送信しても良い。
【００６０】
ステップ１０４で、客室解錠パスワードを客室ＩＤに対応するドアロックに送信することが可能である。
【００６１】
本開示の実施例において、ドアロック制御ボックスは、一つ又は複数のドアロックとネットワーク通信を行うことが可能であり、ドアロック制御ボックスに、ネットワーク通信を行うことが可能なドアロックに対応する客室ＩＤが保存されており、且つ、ドアロック制御ボックス毎に、ドアロックのネットワーク制御装置にも、ドアロック制御ボックスのＩＤ及びネットワーク通信を行うことが可能なドアロックに対応する客室ＩＤが保存されていることが可能である。
【００６２】
ドアロックのネットワーク制御装置は、客室ＩＤと客室解錠パスワードの対応関係を保存した後、当該客室ＩＤに応じて、当該客室ＩＤに対応するドアロックとネットワーク通信を行うドアロック制御ボックスを確定し、当該客室ＩＤ、当該客室ＩＤに対応する客室解錠パスワード、当該客室解錠パスワードのパスワードレベル及び有効期間を、確定されたドアロック制御ボックスに送信することが可能である。当該ドアロック制御ボックスは、当該客室ＩＤ、対応する客室解錠パスワード、パスワードレベル及び有効期間を受信した後、受信した客室解錠パスワード、パスワードレベル及び有効期間を、当該客室ＩＤに対応するドアロックに送信することが可能である。当該ドアロックは、ドアロック制御ボックスが送信した客室解錠パスワード、パスワードレベル及び有効期間を受信した後、当該客室解錠パスワード、パスワードレベル及び有効期間を保存することが可能である。
【００６３】
上記のステップ１０１〜１０４の操作により、ユーザによる部屋予約の注文情報とホテル客室のドアロック制御を関連付け、当該注文情報に対応する各レベルの客室解錠パスワードを生成することが可能であり、後続的に、ユーザ、ホテル日常メインテナー及びホテル管理者は、各々に対応するレベルの客室解錠パスワードにより客室ドアを開けることが可能である。
【００６４】
本開示の実施例において、客室解錠パスワードに応じて客室ドアを開ける方式は、ユーザがユーザレベルの客室解錠パスワードを把握する方式と関連する。ホテル日常メインテナーがクリーニングレベルの客室解錠パスワードに応じて客室ドアを開ける方式及びホテル管理者が管理レベルの客室解錠パスワードに応じて客室ドアを開ける方式は、いずれもユーザが客室ドアを開ける方式と類似しており、以下では、ユーザがユーザレベルの客室解錠パスワードにより客室ドアを開ける過程のみを詳細に説明する。
【００６５】
ユーザがチェックイン手続きを行う時、ホテル管理者によりそのユーザレベルの客室解錠パスワードを告知された場合、ユーザによる解錠過程は、以下の通りである。ユーザが予約した客室戸口に到達し、客室の部屋の戸のドアロック毎にパスワード入力パネルが装着されており、ユーザは、当該パスワード入力パネルにユーザレベルの客室解錠パスワードを入力し、ドアロックは、当該パスワード入力パネルから、ユーザが入力した客室解錠パスワードを取得し、その保存されたユーザレベルの客室解錠パスワードと、ユーザが入力した客室解錠パスワードとが同一であるか否かを検証し、同一である場合、現在時間が当該客室解錠パスワードの有効期間内であるか否かを検証し、有効期間内である場合、ドアロックは、自動に解錠され、ユーザが当該客室に入ることを許可し、有効期間内でない場合、ドアロックを解錠せず、音声により現在まだ入居時間になっていないとユーザに注意を与えることが可能である。保存されたユーザレベルの客室解錠パスワードと、ユーザが入力した客室解錠パスワードとが同一でないと検証される場合、検証に失敗し、ドアロックは、解錠されず、パスワードが間違っているとユーザに注意を与え、ユーザは、客室解錠パスワードの入力を再度試み、或いは、ホテル従業員に正確な客室解錠パスワードを問い合わせることが可能である。
【００６６】
本開示の実施例において、ユーザの端末に、ドアロック制御用のＡＰＰ（Ａｐｐｌｉｃａｔｉｏｎ、アプリケーション）がインストールされており、当該ＡＰＰは、ユーザに解錠トリガーキーを提供し、ユーザは、当該解錠トリガーキーを介して遠隔解錠を実現することが可能である。
【００６７】
ユーザがネット上で客室を予約する時、ユーザの端末を介してドアロックのネットワーク制御装置が送信したユーザレベルの客室解錠パスワードを受信した場合、ユーザは、ユーザの端末を介して遠隔解錠を実現することが可能である。遠隔解錠の具体的な過程は、
ユーザは、上記のＡＰＰに表示される解錠インターフェースから解錠すべき客室に対応する、当該客室に対応する客室ＩＤを含む客室情報を選択した後、解錠トリガーキーをクリックするステップと、ユーザの端末は、ユーザが解錠トリガーキーをクリックしたと検出した時、ユーザが選択した客室情報及び当該客室情報に対応する客室解錠パスワードを取得し、当該客室情報及び客室解錠パスワードを解錠情報に構成し、当該解錠情報をドアロックのネットワーク制御装置に送信することが可能であるステップと、ドアロックのネットワーク制御装置は、ユーザ端末が送信した解錠情報を受信し、当該客室情報に応じて、対応するドアロック制御ボックスを介して、当該客室解錠パスワードを当該客室情報に対応するドアロックに転送することが可能であるステップと、ドアロックは、当該客室解錠パスワードを受信した後、予め保存された客室解錠パスワードに応じて、受信した当該客室解錠パスワードに対して検証を行うことが可能であり、検証にパスした場合、客室ドアを開け、検証に失敗した場合、客室ドアを開けないステップとを含む。
【００６８】
ホテル日常メインテナー及びホテル管理者が各々に対応するレベルの客室解錠パスワードによる解錠過程は、上記のユーザによる解錠過程と類似しており、同様に、ドアロックのパスワード入力パネルに客室解錠パスワードを入力する方式により解錠しても良く、ホテル日常メインテナーの端末及びホテル管理者の端末に、上記のドアロック制御用のＡＰＰをインストールして遠隔解錠を実現しても良く、具体的な解錠過程は、同一であり、使われる客室解錠パスワードだけが異なるので、ここでは、重複する説明を省略する。
【００６９】
本開示の実施例は、注文情報とドアロック制御を関連付けて、ホテル客室ドアロックのネットワーク制御を実現でき、ドアロック制御過程における手動介入を大幅に減らし、ドアロック制御の効率を向上させる。そして、本開示の実施例は、解錠パスワード入力及び遠隔解錠のドアロック解錠方式を提供し、ユーザは、自分のニーズによって解錠方式をフレキシブルに選択でき、ドアロック制御の融通性を向上させ、ユーザ体験を改善する。また、客室解錠パスワードにより解錠することにより、客室解錠パスワードを失う可能性を大幅に低下させ、ドアロック制御の安全性を向上させる。
【００７０】
本開示の実施例において、部屋予約要求情報を受信し、部屋予約要求情報に応じて相応する注文情報を生成し、注文情報に対応する客室解錠パスワードを生成し、注文情報に対応する客室ＩＤと客室解錠パスワードの対応関係を保存し、前記客室解錠パスワードを前記客室ＩＤに対応するドアロックに送信することが可能である。本開示において、ユーザによる部屋予約の注文情報に応じて客室解錠パスワードを生成し、客室ＩＤと客室解錠パスワードの対応関係を保存することにより、ドアロックに対するネットワーク制御を実現し、且つ客室解錠パスワードをユーザに告知するだけで、ユーザは、当該客室解錠パスワードにより対応する客室ドアを開けることができ、ドアロック制御過程における手動介入成分を減らし、ドアロック制御の効率を向上させる。そして、客室解錠パスワードに実体的なキャリアが無いため、客室解錠パスワードを失う可能性を低下させ、ドアロック制御の安全性を向上させる。
【００７１】
実施例２
本開示の実施例は、ドアロックのネットワーク制御方法を提供する。本方法において、サーバ及びＰＭＳ(Ｐｒｏｐｅｒｔｙ  Ｍａｎａｇｅｍｅｎｔ  Ｓｙｓｔｅｍ、ホテル管理システム)を設立することにより、連携してドアロックのネットワーク制御を実現することが可能である。図２Ａに示すように、本方法によるネットワークアーキテクチャは、ユーザの端末２００１と、サーバ２００２と、ＰＭＳ２００３と、ドアロック制御ボックス２００４と、ドアロックとを含む。ユーザの端末は、ユーザの携帯電話、ＰＣ又はＰＡＤ等であって可能であり、サーバは、共同購買サイトのサーバ又はホテルのネットワークサーバ等であって可能であり、ドアロック制御ボックスは、ＰＭＳとドアロックの間でネットワーク通信を行う中継ネットワーク素子であり、一つのドアロック制御ボックスは、一つ又は複数のドアロックとネットワーク通信を行うことが可能である。図２Ａには、一つのドアロック制御ボックス及び当該ドアロック制御ボックスに対応する複数のドアロックであるドアロック１、ドアロック２、…、ドアロックＮが模試的に描かれている。ユーザがユーザの端末を介してサーバでホテル客室を予約する時、本開示の実施例が提供する方法により客室ドアロックに対するネットワーク制御を実現することが可能であり、客室ドアロック制御の効率及び安全性を向上させる。
【００７２】
図２Ｂを参照すると、当該方法は、具体的に、下記のステップを含む。
ステップ２０１で、サーバは、部屋予約要求情報を受信し、当該部屋予約要求情報に応じて相応する注文情報を生成することが可能である。
【００７３】
上記の部屋予約要求情報は、ユーザの個人情報と、ホテル情報と、ユーザの部屋予約ニーズ情報とを含むことが可能である。ユーザの個人情報は、ユーザの氏名、連絡先及び身分証明書番号等を含むことができる。ホテル情報は、ユーザが予約したがるホテルの名称を含むことができる。ユーザの部屋予約ニーズ情報は、ユーザが予約すべき客室の類型及び入居時間等の情報を含むことができる。客室の類型は、シングル客室、デラックススイート客室又は標準室等を含むことができる。入居時間は、ユーザの入居開始時間及び終了時間を含むことができる。
【００７４】
ユーザは、ユーザの端末を介してサーバにログインし、ユーザの端末を介して、上記の部屋予約要求情報をサーバに送信することが可能である。サーバは、ユーザの端末が送信した部屋予約要求情報を受信した時、当該部屋予約要求情報に応じて、ユーザのために注文情報を生成することが可能である。
【００７５】
サーバがユーザのために注文情報を生成する時、部屋予約要求情報に含まれる部屋予約ニーズ情報に応じて、ユーザにユーザ部屋予約ニーズを満たす客室を割り当てることが可能である。本開示の実施例において、サーバは、直接ユーザに客室を割り当てる代わりに、部屋予約要求情報に含まれる部屋予約ニーズ情報を、ネットワークを介してユーザが予約すべきのホテルのＰＭＳに送信し、当該ホテルのＰＭＳがユーザの部屋予約ニーズ情報に応じて、ユーザに客室を割り当てた後、割り当てられた客室に対応する客室ＩＤをサーバにフィードバックしても良い。客室ＩＤは、客室の部屋番号であって可能である。
【００７６】
上記の生成された注文情報は、注文番号と、ユーザ情報と、ホテル情報と、客室情報とを含むことができる。当該ユーザ情報は、上記の部屋予約要求情報に含まれるユーザの個人情報であって可能であり、ホテル情報は、ユーザが予約すべきホテルの名称及び住所等であって可能であり、客室情報は、上記のユーザに割り当てられた客室に対応する客室ＩＤ及び入居時間等を含むことができる。
【００７７】
本開示の実施例において、ユーザは、サーバを介してホテル客室を予約する以外に、直接ホテルのＰＭＳにログインしてホテル客室を予約しても良く、この場合、ユーザの端末は、部屋予約要求情報をホテルのＰＭＳに送信することが可能であり、ＰＭＳは、当該部屋予約要求情報を受信した後、当該部屋予約要求情報に応じて、ユーザに客室を割り当て、当該部屋予約要求情報に対応する注文情報を生成することが可能である。ＰＭＳは、当該注文情報を生成した後、更に、当該注文情報を保存し、サーバが当該注文情報に応じて対応する客室解錠パスワードを生成するように、当該注文情報をサーバに送信することが可能である。
【００７８】
ステップ２０２で、サーバは、当該注文情報に対応する客室解錠パスワードを生成することが可能である。
【００７９】
本開示の実施例において、サーバに、パスワード生成ルールが予め設定されている。予め設定されたパスワード生成ルールは、生成される客室解錠パスワードの桁及び適用するパスワード生成アルゴリズム等を規定することが可能である。
【００８０】
また、ホテル日常管理において、清掃等のホテル日常メインテナーが客室を清掃及び客室の安全を管理する時、客室ドアを開けるべきであり、ホテルマネージャー等のホテル管理者がホテル管理を行う過程でも客室ドアを開けるべきである場合があるので、ユーザのために解錠用の客室解錠パスワードを生成する必要があることはもちろん、清掃等のホテル日常メインテナー及びホテルマネージャー等のホテル管理者のためにも、対応する客室解錠パスワードを生成する必要がある。本開示の実施例において、サーバに、事前設定パスワードレベルが予め設定されており、当該事前設定パスワードレベルは、ユーザレベルと、クリーニングレベルと、管理レベルとを含む。ユーザは、ユーザレベルの客室解錠パスワードを使って客室ドアを開けることが可能であり、清掃等のホテル日常メインテナーは、クリーニングレベルの客室解錠パスワードを使って客室ドアを開けることが可能であり、ホテルマネージャー等の管理者は、管理レベルの客室解錠パスワードにより客室ドアを開けることが可能である。
【００８１】
サーバは、客室解錠パスワードを生成する時、予め設定されたパスワード生成ルール及び事前設定パスワードレベルに応じて、注文情報に対応する客室解錠パスワードを生成することが可能である。客室解錠パスワードを生成する時、パスワードランダム生成アルゴリズムを適用することが可能である。
【００８２】
上記の客室解錠パスワードを生成する方式以外に、サーバは、生成された注文情報に含まれる内容に応じて、客室解錠パスワードを生成しても良い。例えば、予め設定されたパスワード生成ルール、事前設定パスワードレベル及び注文情報に応じて、当該注文情報に対応する客室解錠パスワードを生成することが可能である。
【００８３】
事前設定パスワードレベルがユーザレベルである場合、サーバは、予め設定されたパスワード生成ルール、事前設定パスワードレベルに含まれるユーザレベル、注文情報に含まれるユーザ情報及び客室情報に応じて、ユーザに対応する客室解錠パスワードを生成することが可能である。
【００８４】
事前設定パスワードレベルがクリーニングレベルである場合、サーバは、予め設定されたパスワード生成ルール、事前設定パスワードレベルに含まれるクリーニングレベル及び注文情報に含まれる客室情報に応じて、清掃員に対応する客室解錠パスワードを生成することが可能である。
【００８５】
事前設定パスワードレベルが管理レベルである場合、サーバは、予め設定されたパスワード生成ルール、事前設定パスワードレベルに含まれる管理レベル、注文情報に含まれるホテル情報及び客室情報に応じて、ホテル管理者に対応する客室解錠パスワードを生成することが可能である。
【００８６】
サーバは、上記の方式により各レベルの客室解錠パスワードを生成した後、当該注文情報と客室解錠パスワードの間の対応関係を保存することが可能である。更に、注文情報と客室解錠パスワードの対応関係を保存する時、注文情報に対応する各々のレベルの客室解錠パスワードを区別して保存することが可能である。
【００８７】
本開示の実施例において、サーバは、ユーザの端末が当該客室解錠パスワードを保存するように、当該注文情報及びユーザレベルの客室解錠パスワードをユーザの端末に送信することが可能である。同様に、サーバは、当該注文情報に対応する管理レベルの客室解錠パスワードをホテルマネージャー等の管理者の端末に送信し、及び、クリーニングレベルの客室解錠パスワードを清掃員等のホテル日常メインテナーの端末に送信することが可能である。
【００８８】
本開示の実施例において、サーバは、注文情報に対応する客室解錠パスワードを生成する時、部屋予約要求情報に応じて、客室解錠パスワードに対応する有効期間を生成することが可能である。その中で、部屋予約要求情報に含まれるユーザ入居時間を、客室解錠パスワードに対応する有効期間として確定することが可能である。即ち、当該有効期間は、ユーザの入居開始時間から終了時間までである。当該注文情報と客室解錠パスワードの間の対応関係を保存する時、更に、当該客室解錠パスワードに対応する有効期間を保存することが可能である。
【００８９】
上記のステップ２０１及び２０２の操作により注文情報及び客室解錠パスワードを生成した後、サーバは、下記のようなステップ２０３の操作により、当該注文情報及対応する客室解錠パスワードをホテルのＰＭＳに同期化することが可能である。
【００９０】
ステップ２０３で、サーバは、注文情報及び客室解錠パスワードを、部屋予約要求情報に対応するＰＭＳに送信することが可能である。
【００９１】
本開示の実施例において、サーバとホテルのＰＭＳとは、インターネットを介してネットワーク通信を行うことが可能である。サーバは、ホテルのＰＭＳとのネットワーク接続により当該注文情報及び対応する客室解錠パスワードをホテルのＰＭＳに送信することが可能である。サーバは、更に、当該客室解錠パスワードに対応する有効期間をホテルのＰＭＳに送信することが可能である。また、サーバは、更に、客室解錠パスワードに対応する有効期間をＰＭＳに送信することが可能である。
【００９２】
ステップ２０４で、ＰＭＳは、サーバが送信した注文情報及び客室解錠パスワードを受信し、注文情報に対応する客室ＩＤと客室解錠パスワードの対応関係を保存することが可能である。
【００９３】
ホテルのＰＭＳが、サーバが送信した注文情報、客室解錠パスワード及び客室解錠パスワードに対応する有効期間を受信した時、ＰＭＳは、当該注文情報に対応する客室ＩＤと各レベルの客室解錠パスワードの対応関係を保存することが可能である。また、ＰＭＳは、更に、客室解錠パスワードに対応する有効期間を保存することが可能である。
【００９４】
後続的に、ユーザがホテルに到達してチェックイン手続きを行う時、ユーザは、ホテル従業員に身分証明書又は注文情報を提示することが可能であり、ホテル従業員は、ユーザが提示する身分証明書又は注文情報に応じて、ＰＭＳに保存された注文情報と客室ＩＤの対応関係からユーザが予約した客室に対応する客室ＩＤを取得した後、当該客室ＩＤに応じて、ＰＭＳに保存された客室ＩＤと客室解錠パスワードの対応関係から対応するユーザレベルの客室解錠パスワードを取得し、客室解錠パスワードをユーザに告知することが可能である。
【００９５】
また、本開示の実施例において、チェックイン手続きを行わない時、ホテル従業員によりユーザに客室解錠パスワードを告知する代わりに、ステップ１０２でサーバがユーザレベルの客室解錠パスワードを生成する時、サーバによりネットワークを介してユーザレベルの客室解錠パスワードをユーザの端末に送信しても良い。
【００９６】
ステップ２０５で、ＰＭＳは、客室解錠パスワードを客室に対応するドアロックに送信することが可能である。
【００９７】
本開示の実施例において、ドアロック制御ボックスは、一つ又は複数のドアロックとネットワーク通信を行うことが可能であり、ドアロック制御ボックスに、ネットワーク通信を行うことが可能なドアロックに対応する客室ＩＤが保存されており、且つ、ドアロック制御ボックス毎に、ホテルのＰＭＳ中にも、ドアロック制御ボックスのＩＤ及びネットワーク通信を行うことが可能なドアロックに対応する客室ＩＤが保存される。
【００９８】
ホテルのＰＭＳが注文情報に対応する客室ＩＤと客室解錠パスワードの対応関係を保存した後、ＰＭＳは、当該客室ＩＤに応じて当該客室ＩＤに対応するドアロックとネットワーク通信を行うドアロック制御ボックスを確定することが可能であり、ＰＭＳは、当該客室ＩＤ、当該客室ＩＤに対応する客室解錠パスワード及び当該客室解錠パスワードの有効期間を、確定されたドアロック制御ボックスに送信することが可能である。当該ドアロック制御ボックスは、当該客室ＩＤ、対応する客室解錠パスワード及び有効期間を受信した後、受信した客室解錠パスワード及び有効期間を、当該客室ＩＤに対応するドアロックに送信することが可能である。当該ドアロックは、ドアロック制御ボックスが送信した客室解錠パスワード及び有効期間を受信した後、当該客室解錠パスワード及び有効期間を保存することが可能である。
【００９９】
本開示の実施例において、ユーザレベル、クリーニングレベル及び管理レベルの客室解錠パスワードに対して、ホテルのＰＭＳは、いずれも上記の方式により各レベルの客室解錠パスワードを対応するドアロックに送信し、ドアロックは、受信した各レベルの客室解錠パスワードを保存する。
【０１００】
上記のステップ２０１〜２０５の操作により、ユーザによる部屋予約の注文情報とホテル客室のドアロック制御と関連付けて、当該注文情報に対応する各レベルの客室解錠パスワードを生成し、後続的に、ユーザ、ホテル日常メインテナー及びホテル管理者は、各々に対応するレベルの客室解錠パスワードにより客室ドアを開けることが可能である。
【０１０１】
本開示の実施例において、客室解錠パスワードに応じて客室ドアを開ける方式は、ユーザがユーザレベルの客室解錠パスワードを把握する方式と関連する。ホテル日常メインテナーがクリーニングレベルの客室解錠パスワードに応じて客室ドアを開ける方式及びホテル管理者が管理レベルの客室解錠パスワードに応じて客室ドアを開ける方式は、いずれもユーザが客室ドアを開ける方式と類似しており、以下では、ユーザがユーザレベルの客室解錠パスワードにより客室ドアを開ける過程のみを詳細に説明する。
【０１０２】
ユーザがチェックイン手続きを行う時、ホテル管理者によりそのユーザレベルの客室解錠パスワードを告知された場合、ユーザによる解錠過程は、以下の通りである。ユーザが予約した客室戸口に到達し、客室の部屋の戸のドアロック毎にパスワード入力パネルが装着されており、ユーザは、当該パスワード入力パネルにユーザレベルの客室解錠パスワードを入力し、ドアロックは、当該パスワード入力パネルから、ユーザが入力した客室解錠パスワードを取得し、その保存されたユーザレベルの客室解錠パスワードと、ユーザが入力した客室解錠パスワードとが同一であるか否かを検証し、同一である場合、現在時間が当該客室解錠パスワードの有効期間内であるか否かを検証し、有効期間内である場合、ドアロックは、自動に解錠され、ユーザが当該客室に入ることを許可し、有効期間内でない場合、ドアロックを解錠せず、音声により現在まだ入居時間になっていないとユーザに注意を与えることが可能である。保存されたユーザレベルの客室解錠パスワードと、ユーザが入力した客室解錠パスワードとが同一でないと検証される場合、検証に失敗し、ドアロックは、解錠されず、パスワードが間違っているとユーザに注意を与え、ユーザは、客室解錠パスワードの入力を再度試み、或いは、ホテル従業員に正確な客室解錠パスワードを問い合わせることが可能である。
【０１０３】
本開示の実施例において、ユーザの端末に、ドアロック制御用のＡＰＰ（Ａｐｐｌｉｃａｔｉｏｎ、アプリケーション）がインストールされており、当該ＡＰＰは、ユーザに解錠トリガーキーを提供し、ユーザは、当該解錠トリガーキーを介して遠隔解錠を実現することが可能である。
【０１０４】
ユーザがネット上で客室を予約する時、ユーザの端末を介してサーバが送信したユーザレベルの客室解錠パスワードを受信した場合、ユーザは、ユーザの端末を介して遠隔解錠を実現することが可能である。遠隔解錠の具体的な過程は、
ユーザは、上記のＡＰＰに表示される解錠インターフェースから、解錠すべき客室に対応する、当該客室に対応する客室ＩＤを含む客室情報を選択した後、解錠トリガーキーをクリックすることが可能であるステップと、ユーザの端末は、ユーザが解錠トリガーキーをクリックしたと検出した時、ユーザが選択した客室情報及び当該客室情報に対応する客室解錠パスワードを取得し、当該客室情報及び客室解錠パスワードをサーバに送信することが可能であるステップと、サーバは、ユーザの端末が送信した当該客室情報及び当該客室解錠パスワードを受信し、当該客室情報に応じて、対応するドアロック制御ボックスを介して、当該客室解錠パスワードを当該客室情報に対応するドアロックに転送することが可能であるステップと、ドアロックは、当該客室解錠パスワードを受信した後、予め保存された客室解錠パスワードに応じて、受信した当該客室解錠パスワードに対して検証を行い、検証にパスした場合、客室ドアを開け、検証に失敗した場合、客室ドアを開けないステップとを含む。
【０１０５】
ホテル日常メインテナー及びホテル管理者が各々に対応するレベルの客室解錠パスワードによる解錠過程は、上記のユーザによる解錠過程と類似しており、同様に、ドアロックのパスワード入力パネルに客室解錠パスワードを入力する方式により解錠しても良く、ホテル日常メインテナーの端末及びホテル管理者の端末に、上記のドアロック制御用のＡＰＰをインストールして遠隔解錠を実現しても良く、具体的な解錠過程は、同一であり、使われる客室解錠パスワードだけが異なるので、ここでは、重複する説明を省略する。
【０１０６】
本開示の実施例は、注文情報とドアロック制御を関連付けて、ホテル客室ドアロックのネットワーク制御を実現でき、ドアロック制御過程における手動介入を大幅に減らし、ドアロック制御の効率を向上させる。そして、本開示の実施例は、解錠パスワード入力及び遠隔解錠のドアロック解錠方式を提供し、ユーザは、自分のニーズによって解錠方式をフレキシブルに選択でき、ドアロック制御の融通性を向上させ、ユーザ体験を改善する。また、客室解錠パスワードにより解錠することにより、客室解錠パスワードを失う可能性を大幅に低下させ、ドアロック制御の安全性を向上させる。
【０１０７】
本開示の実施例において、サーバは、部屋予約要求情報を受信し、部屋予約要求情報に応じて相応する注文情報を生成し、注文情報に対応する客室解錠パスワードを生成し、注文情報及び及客室解錠パスワードを、部屋予約要求情報に対応するＰＭＳに送信し、ＰＭＳは、注文情報に対応する客室ＩＤと客室解錠パスワードの対応関係を保存し、当該客室解錠パスワードを当該客室ＩＤに対応するドアロックに送信することが可能である。本開示において、サーバは、ユーザによる部屋予約の注文情報に応じて客室解錠パスワードを生成することが可能であり、ＰＭＳは、客室ＩＤと客室解錠パスワードの対応関係を保存することにより、ドアロックに対するネットワーク制御を実現し、且つ客室解錠パスワードをユーザに告知するだけで、ユーザは、当該客室解錠パスワードにより対応する客室ドアを開けることができ、ドアロック制御過程における手動介入成分を減らし、ドアロック制御の効率を向上させる。そして、客室解錠パスワードに実体的なキャリアが無いため、客室解錠パスワードを失う可能性を低下させ、ドアロック制御の安全性を向上させる。
【０１０８】
実施例３
図３Ａを参照すると、本開示の実施例は、ドアロックのネットワーク制御装置３０を提供する。当該装置は、上記の実施例１が提供するドアロックのネットワーク制御方法を実行するために用いられる。当該装置は、プロセッサ３１１と、不揮発性性記憶媒体３１２と、ネットワークインターフェース３１３と、内部バス３１４とを含み、プロセッサ３１１、不揮発性記憶媒体３１２及びネットワークインターフェース３１３は、内部バス３１４を介して通信することが可能である。プロセッサ３１１は、不揮発性記憶媒体３１２に記憶された機械実行可能命令を読み取って実行することにより、実施例１で説明されたドアロックのネットワーク制御方法を実現することが可能である。図３Ｂは、アロックのネットワーク制御装置３０の論理構造模式図である。当該ドアロックのネットワーク制御装置３０の機能は、論理的に、
部屋予約要求情報を受信し、部屋予約要求情報に応じて相応する注文情報を生成するための受信モジュール３０１と、
注文情報に対応する客室解錠パスワードを生成するための生成モジュール３０２と、
注文情報に対応する客室ＩＤと客室解錠パスワードの対応関係を保存するための保存モジュール３０３と、
当該客室解錠パスワードを当該客室ＩＤに対応するドアロックに送信するための送信モジュール３０４とにより実現することが可能である。
【０１０９】
上記の生成モジュール３０２は、第１の生成ユニット又は第２の生成ユニットにより、各レベルに対応する客室解錠パスワードを生成することが可能である。
【０１１０】
第１の生成ユニットは、予め設定されたパスワード生成ルール及び事前設定パスワードレベルに応じて、注文情報に対応する客室解錠パスワードを生成するために用いられ、或いは、
第２の生成ユニットは、予め設定されたパスワード生成ルール、事前設定パスワードレベル及び注文情報に応じて、注文情報に対応する客室解錠パスワードを生成するために用いられる。
【０１１１】
本開示の実施例において、事前設定パスワードレベルは、ユーザレベルと、クリーニングレベルと、管理レベルとを含み、注文情報は、ユーザ情報と、ホテル情報と、客室情報とを含む。
【０１１２】
上記の第２の生成ユニットは、
予め設定されたパスワード生成ルール、事前設定パスワードレベルに含まれるユーザレベル、注文情報に含まれるユーザ情報及び客室情報に応じて、ユーザに対応する客室解錠パスワードを生成するための第１の生成サブユニットと、
予め設定されたパスワード生成ルール、事前設定パスワードレベルに含まれるクリーニングレベル及び注文情報に含まれる客室情報に応じて、清掃員に対応する客室解錠パスワードを生成するための第２の生成サブユニットと、
予め設定されたパスワード生成ルール、事前設定パスワードレベルに含まれる管理レベル、注文情報に含まれるホテル情報及び客室情報に応じて、ホテル管理者に対応する客室解錠パスワードを生成するための第３の生成サブユニットとを含む。
【０１１３】
本開示の実施例において、生成モジュール３０２は、客室解錠パスワードを生成した後、更に、有効期間生成モジュールにより当該客室解錠パスワードに対応する有効期間を生成する。有効期間生成モジュールは、部屋予約要求情報に応じて、客室解錠パスワードに対応する有効期間を生成し、ドアロックが客室解錠パスワードに対応する有効期間を保存するように、有効期間を客室ＩＤに対応するドアロックに送信するために用いられる。
【０１１４】
本開示の実施例において、当該装置が生成モジュール３０２により注文情報に対応する客室解錠パスワードを生成した後、送信モジュール３０４は、更に、ユーザ端末が客室解錠パスワードを保存するように、客室解錠パスワードをユーザ端末に送信するために用いられる。
【０１１５】
或いは、当該装置は、取得モジュールにより客室解錠パスワードを取得し、客室解錠パスワードをユーザに表示する。取得モジュールは、ユーザがホテルに到達してチェックイン手続きを行う時、注文情報に対応する客室ＩＤに応じて、保存された客室ＩＤと客室解錠パスワードの対応関係から客室解錠パスワードを取得し、客室解錠パスワードを表示するために用いられる。
【０１１６】
本開示の実施例において、受信モジュール３０１は、更に、ユーザの端末が送信した、客室解錠パスワードと、客室情報とを含む解錠情報を受信するために用いられ、
送信モジュール３０４は、更に、ドアロックが当該客室解錠パスワードに対して検証を行うように、客室解錠パスワードを客室情報に対応するドアロックに送信するために用いられる。
【０１１７】
本開示の実施例において、部屋予約要求情報を受信し、部屋予約要求情報に応じて相応する注文情報を生成し、注文情報に対応する客室解錠パスワードを生成し、注文情報に対応する客室ＩＤと客室解錠パスワードの対応関係を保存し、客室解錠パスワードを客室に対応するドアロックに送信する。本開示において、ユーザによる部屋予約の注文情報に応じて客室解錠パスワードを生成し、客室ＩＤと客室解錠パスワードの対応関係を保存することにより、ドアロックに対するネットワーク制御を実現し、且つ客室解錠パスワードをユーザに告知するだけで、ユーザは、当該客室解錠パスワードにより対応する客室ドアを開けることができ、ドアロック制御過程における手動介入成分を減らし、ドアロック制御の効率を向上させる。そして、客室解錠パスワードに実体的なキャリアが無いため、客室解錠パスワードを失う可能性を低下させ、ドアロック制御の安全性を向上させる。
【０１１８】
実施例４
図４Ａを参照すると、本開示の実施例は、サーバ４０を提供する。当該サーバは、上記の実施例２が提供するドアロックのネットワーク制御方を実行するために用いられる。当該サーバは、プロセッサ４１１と、不揮発性性記憶媒体４１２と、ネットワークインターフェース４１３と、内部バス４１４とを含み、プロセッサ４１１、不揮発性記憶媒体４１２及びネットワークインターフェース４１３は、内部バス４１４を介して通信することが可能である。プロセッサ４１１は、不揮発性記憶媒体４１２に記憶された機械実行可能命令を読み取って実行することにより、実施例２で説明されたドアロックのネットワーク制御方法を実現することが可能である。図４Ｂは、当該サーバ４０の論理構造模式図である。当該サーバ４０の機能は、論理的に、
部屋予約要求情報を受信し、部屋予約要求情報に応じて相応する注文情報を生成するための受信モジュール４０１と、
注文情報に対応する客室解錠パスワードを生成するための生成モジュール４０２と、
ＰＭＳが客室解錠パスワードに応じて注文情報に対応するドアロックに対して制御を行うように、注文情報及び客室解錠パスワードを部屋予約要求情報に対応するホテル管理システムＰＭＳに送信するための送信モジュール４０３とにより実現することが可能である。
【０１１９】
上記の生成モジュール４０２は、
予め設定されたパスワード生成ルール及び事前設定パスワードレベルに応じて、注文情報に対応する客室解錠パスワードを生成するための第１の生成ユニット、或いは、
予め設定されたパスワード生成ルール、事前設定パスワードレベル及び注文情報に応じて、注文情報に対応する客室解錠パスワードを生成するための第２の生成ユニットを含む。
【０１２０】
本開示の実施例において、事前設定パスワードレベルは、ユーザレベルと、クリーニングレベルと、管理レベルとを含み、注文情報は、ユーザ情報と、ホテル情報と、客室情報とを含み、
第２の生成ユニットは、
予め設定されたパスワード生成ルール、事前設定パスワードレベルに含まれるユーザレベル、注文情報に含まれるユーザ情報及び客室情報に応じて、ユーザに対応する客室解錠パスワードを生成するための第１の生成サブユニットと、
予め設定されたパスワード生成ルール、事前設定パスワードレベルに含まれるクリーニングレベル及び注文情報に含まれる客室情報に応じて、清掃員に対応する客室解錠パスワードを生成するための第２の生成サブユニットと、
予め設定されたパスワード生成ルール、事前設定パスワードレベルに含まれる管理レベル、注文情報に含まれるホテル情報及び客室情報に応じて、ホテル管理者に対応する客室解錠パスワードを生成するための第３の生成サブユニットとを含む。
【０１２１】
当該サーバは、
部屋予約要求情報に応じて、客室解錠パスワードに対応する有効期間を生成するための有効期間生成モジュールを更に含み、
送信モジュール４０３は、更に、ＰＭＳが当該有効期間を注文情報に対応するドアロックに送信するように、有効期間をＰＭＳに送信するために用いられる。
【０１２２】
客室解錠パスワードを生成した後、送信モジュール４０３は、更に、ユーザ端末が客室解錠パスワードを保存するように、客室解錠パスワードをユーザ端末に送信するために用いられる。
【０１２３】
本開示の実施例において、ユーザが客室解錠パスワードにより解錠を行う時、当該サーバは、ユーザ端末が送信した、客室解錠パスワードと、客室情報とを含む解錠情報を受信するための受信モジュールを更に含み、
送信モジュール４０３は、更に、ＰＭＳが客室情報に対応するドアロックを制御して、客室解錠パスワードに対して検証を行うように、解錠情報をＰＭＳに送信するために用いられる。
【０１２４】
本開示の実施例において、サーバは、部屋予約要求情報を受信し、部屋予約要求情報に応じて相応する注文情報を生成し、注文情報に対応する客室解錠パスワードを生成し、ＰＭＳが客室解錠パスワードに応じて注文情報に対応するドアロックに対して制御を行うように、注文情報及び客室解錠パスワードを部屋予約要求情報に対応するホテル管理システムＰＭＳに送信する。本開示において、サーバは、ユーザによる部屋予約の注文情報に応じて客室解錠パスワードを生成し、ＰＭＳは、客室解錠パスワードに応じてドアロックに対するネットワーク制御を実現し、且つ客室解錠パスワードをユーザに告知するだけで、ユーザは、当該客室解錠パスワードにより対応する客室ドアを開けることができ、ドアロック制御過程における手動介入成分を減らし、ドアロック制御の効率を向上させる。そして、客室解錠パスワードに実体的なキャリアが無いため、客室解錠パスワードを失う可能性を低下させ、ドアロック制御の安全性を向上させる。
【０１２５】
実施例５
図５を参照すると、本開示の実施例は、ホテル管理システムＰＭＳを提供する。当該ＰＭＳは、上記の実施例２が提供するドアロックのネットワーク制御方法を実行するために用いられる。当該ＰＭＳは、具体的には、
サーバが送信した注文情報及び客室解錠パスワードを受信するための受信モジュール５０１と、
注文情報に対応する客室ＩＤと客室解錠パスワードの対応関係を保存するための保存モジュール５０２と、
客室解錠パスワードを客室ＩＤに対応するドアロックに送信するための送信モジュール５０３とを含む。
【０１２６】
ユーザが客室解錠パスワードにより解錠を行う時、上記の受信モジュール５０１は、更に、サーバが送信した、客室解錠パスワードと、客室情報とを含む解錠情報を受信するために用いられ、
送信モジュール５０３は、更に、ドアロックが客室解錠パスワードに対して検証を行うように、客室解錠パスワードを客室情報に対応するドアロックに送信するために用いられる。
【０１２７】
本開示の実施例において、当該ＰＭＳは、下記のような取得モジュールにより客室解錠パスワードをユーザに提供しても良い。
【０１２８】
当該取得モジュールは、ユーザがホテルに到達してチェックイン手続きを行う時、注文情報に対応する客室ＩＤに応じて、保存された客室ＩＤと客室解錠パスワードの対応関係から客室解錠パスワードを取得し、当該客室解錠パスワードを表示するために用いられる。
【０１２９】
本開示の実施例において、受信モジュール５０１は、更に、サーバが送信した客室解錠パスワードに対応する有効期間を受信するために用いられ、
送信モジュール５０３は、更に、ドアロックが当該有効期間を受信するように、有効期間を客室ＩＤに対応するドアロックに送信するために用いられる。
【０１３０】
本開示の実施例において、ＰＭＳは、サーバが送信した注文情報及び客室解錠パスワードを受信し、注文情報に対応する客室ＩＤと客室解錠パスワードの対応関係を保存し、客室解錠パスワードを客室ＩＤに対応するドアロックに送信する。本開示において、サーバは、ユーザによる部屋予約の注文情報に応じて客室解錠パスワードを生成し、ＰＭＳは、客室ＩＤと客室解錠パスワードの対応関係を保存することにより、ドアロックに対するネットワーク制御を実現し、且つ客室解錠パスワードをユーザに告知するだけで、ユーザは、当該客室解錠パスワードにより対応する客室ドアを開けることができ、ドアロック制御過程における手動介入成分を減らし、ドアロック制御の効率を向上させる。そして、客室解錠パスワードに実体的なキャリアが無いため、客室解錠パスワードを失う可能性を低下させ、ドアロック制御の安全性を向上させる。
【０１３１】
実施例６
図６を参照すると、本開示の実施例は、ホテル管理システムＰＭＳを提供する。当該ＰＭＳは、上記の実施例１が提供するドアロックのネットワーク制御方法を実行するために用いられる。
【０１３２】
当該ＰＭＳは、部屋予約要求情報を受信し、部屋予約要求情報に応じて相応する注文情報を生成し、注文情報に対応する客室解錠パスワードを生成し、注文情報に対応する客室ＩＤと客室解錠パスワードの対応関係を保存し、客室解錠パスワードを客室ＩＤに対応するドアロックに送信するために用いられる。
【０１３３】
図６が示すように、当該ＰＭＳは、
予め設定されたパスワード生成ルール及び事前設定パスワードレベルに応じて、注文情報に対応する客室解錠パスワードを生成し、或いは、予め設定されたパスワード生成ルール、事前設定パスワードレベル及び注文情報に応じて、注文情報に対応する客室解錠パスワードを生成するためのパスワード生成素子６０１を含む。
【０１３４】
上記の事前設定パスワードレベルは、ユーザレベルと、クリーニングレベルと、管理レベルとを含み、注文情報は、ユーザ情報と、ホテル情報と、客室情報とを含む。
【０１３５】
パスワード生成素子６０１は、予め設定されたパスワード生成ルール、事前設定パスワードレベルに含まれるユーザレベル、注文情報に含まれるユーザ情報及び客室情報に応じて、ユーザに対応する客室解錠パスワードを生成し、予め設定されたパスワード生成ルール、事前設定パスワードレベルに含まれるクリーニングレベル及び注文情報に含まれる客室情報に応じて、清掃員に対応する客室解錠パスワードを生成し、予め設定されたパスワード生成ルール、事前設定パスワードレベルに含まれる管理レベル、注文情報に含まれるホテル情報及び客室情報に応じて、ホテル管理者に対応する客室解錠パスワードを生成するために用いられる。
【０１３６】
図６が示すように、当該ＰＭＳは、部屋予約要求情報に応じて、客室解錠パスワードに対応する有効期間を生成し、ドアロックが客室解錠パスワードに対応する有効期間を保存するように、有効期間を客室ＩＤに対応するドアロックに送信するための有効期間生成素子６０２を更に含む。
【０１３７】
当該ＰＭＳは、更に、ユーザの端末が客室解錠パスワードを保存するように、客室解錠パスワードをユーザの端末に送信するために用いられ、或いは、更に、ユーザがホテルに到達してチェックイン手続きを行う時、注文情報に対応する客室ＩＤに応じて、保存された客室ＩＤと客室解錠パスワードの対応関係から客室解錠パスワードを取得し、客室解錠パスワードを表示するために用いられる。
【０１３８】
当該ＰＭＳは、更に、ユーザの端末が送信した、客室解錠パスワードと、客室情報とを含む解錠情報を受信し、ドアロックが当該客室解錠パスワードに対して検証を行うように、当該客室解錠パスワードを当該客室情報に対応するドアロックに送信するために用いられる。
【０１３９】
本開示の実施例において、部屋予約要求情報を受信し、部屋予約要求情報に応じて相応する注文情報を生成し、注文情報に対応する客室解錠パスワードを生成し、注文情報に対応する客室ＩＤと客室解錠パスワードの対応関係を保存し、客室解錠パスワードを客室に対応するドアロックに送信する。本開示において、ユーザによる部屋予約の注文情報に応じて客室解錠パスワードを生成し、客室ＩＤと客室解錠パスワードの対応関係を保存することにより、ドアロックに対するネットワーク制御を実現し、且つ客室解錠パスワードをユーザに告知するだけで、ユーザは、当該客室解錠パスワードにより対応する客室ドアを開けることができ、ドアロック制御過程における手動介入成分を減らし、ドアロック制御の効率を向上させる。そして、客室解錠パスワードに実体的なキャリアが無いため、客室解錠パスワードを失う可能性を低下させ、ドアロック制御の安全性を向上させる。
【０１４０】
本開示の実施例が提供するドアロックのネットワーク制御装置及びネットワーク制御器は、設備における特定ハードウエア、或いは設備にインストールされたソフトウエア又はファームウエア等であって可能である。当業者は、説明の便宜性及び簡潔性のために、前述されたシステム、装置及びユニットの具体的な作業過程は、いずれも上記の方法実施例における対応する過程を参考することが可能であることを明らかに理解できる。
【０１４１】
本出願が提供する幾つかの実施例において、理解すべきことは、開示された装置及び方法は、他の態様により実現することが可能である。上記の装置実施例は、ただ模式的なものであり、例えば、前記ユニットの区画は、ただ論理機能区画であり、実際に実現される時、他の区画方式を有することが可能である。また、例えば、複数のユニット又はアセンブリは、結合されたり、或いは、他のシステムに集積されることが可能であり、或いは、一部の特徴は、無視されたり、又は実行されなくても良い。もう一つの点は、表示又は討論された相互間の結合、直接結合又は通信接続は、幾つかの通信インターフェース、装置又はユニットを介した間接結合又は通信接続であって可能であり、電気的、機械的又は他の形態であって可能である。
【０１４２】
前記分離部品として説明されたユニットは、物理的に分かれていてもいなくても良く、ユニットとして表示された部品は、物理ユニットであってもなくても良く、一つの場所に位置されても良く、或いは、複数のネットワークユニットに分布されていても良い。実際の必要に応じて、そのうちの一部の又は全部のユニットを選んで本実施例の方案の目的を実現することが可能である。
【０１４３】
また、本開示の各々の実施例における各機能ユニットは、一つの処理ユニットに集積されていても良く、各々のユニットの個別の物理的存在であっても良く、二つ又は以上のユニットが一つのユニットに集積されていても良い。
【０１４４】
前記機能が、ソフトウエア機能ユニットの形態として実現され、且つ独立した製品として販売又は使用され場合、一つのコンピュータ読み取り可能な記憶媒体に記憶されることが可能である。このような理解に基づいて、本開示の技術方案は、本質的又は先行技術に対して貢献をする部分或いは当該技術方案の部分は、ソフトウエア製品の形態で具現されることが可能であり、当該コンピューターソフトウエア製品は、一つの記憶媒体に記憶されており、１台のコンピュータ設備（個人用コンピュータ、サーバ又はネットワーク設備等であって可能）に本開示の各々の実施例に記載された方法の全部又は一部のステップを実行させるための幾つかの命令を含む。前述した記憶媒体は、ＵＳＢディスク、ポータブルハードディスク、ＲＯＭ（Ｒｅａｄ−Ｏｎｌｙ  Ｍｅｍｏｒｙ、リードオンリーメモリ）、ＲＡＭ（Ｒａｎｄｏｍ  Ａｃｃｅｓｓ  Ｍｅｍｏｒｙ、ランダムアクセスメモリ）、ディスク又は光ディスク等の様々なプログラムコードを記憶可能な媒体を含む。
【０１４５】
上記は、ただ本開示の具体的な実施の形態であり、本開示の保護範囲は、これらに限定されない。当業者により、本開示が開示する技術範囲内で容易に想到することができる変化又は置き換えは、全部本開示の保護範囲内に含まれるべきである。このため、本開示の保護範囲は、前記特許請求の範囲に準ずるべきである。
【図１Ａ】
2019511763.tif 000003
【図１Ｂ】
2019511763.tif 000004
【図２Ａ】
2019511763.tif 000005
【図２Ｂ】
2019511763.tif 000006
【図３Ａ】
2019511763.tif 000007
【図３Ｂ】
2019511763.tif 000008
【図４Ａ】
2019511763.tif 000009
【図４Ｂ】
2019511763.tif 000010
【図５】
2019511763.tif 000011
【図６】
2019511763.tif 000012
【国際調査報告】
2019511763.tif 000013
2019511763.tif 000014
2019511763.tif 000015
2019511763.tif 000016